(57)【特許請求の範囲】
【請求項１】
容器体の内部と外部を連通する連通部に吸上芯を挿入し、前記容器体内の液状薬剤を前記吸上芯で吸い上げて前記容器体より延出した前記吸上芯の部位から揮散する揮散装置において、
前記連通部に当該連通部を閉鎖する閉鎖部材を設けるとともに、前記吸上芯の挿入を許容する為のスリットを前記閉鎖部材に複数設け、各スリットが前記閉鎖部材の中心部から放射状に延出するように配置したことを特徴とする揮散装置。
【請求項２】
前記スリットのうち隣接したスリットを異なる長さに設定したことを特徴とする請求項１記載の揮散装置。
【請求項３】
前記スリットは、前記吸上芯を挿入する際に破断される昜破断線を破断することにより形成されたものであることを特徴とした請求項１又は２記載の揮散装置。
【請求項４】
前記容器体に設けられた円筒状の口部で前記連通部を構成し、天面に開口部が開設されたキャップを前記口部に装着するとともに、該口部の端面と前記キャップの前記天面との間に前記閉鎖部材を配置し、前記口部の前記端面と該端面に対向する前記キャップの前記天面とに挟持され両者間をシールするシール部を前記閉鎖部材の周縁部に設定したことを特徴とする請求項１、２又は３記載の揮散装置。
【請求項５】
前記閉鎖部材を、前記容器体に設けられた開口部に内嵌される筒状の内嵌部と、該内嵌部の端部開口部を閉鎖した閉鎖部と、前記内嵌部の他端より外方へ延出したフランジ部とからなる閉キャップで構成し、前記閉鎖部に前記スリットを設けたことを特徴とする請求項１、２又は３記載の揮散装置。
【請求項６】
前記吸上芯を複数備えたことを特徴とする１から５にいずれか記載の揮散装置。
【発明の詳細な説明】
【技術分野】
【０００１】
本発明は、液状成分を揮散する揮散装置に関する。
【背景技術】
【０００２】
従来、容器体に収容された芳香液や消臭液等の液状薬剤を揮散する揮散装置が知られている。
【０００３】
この揮散装置としては、容器体に複数の吸上芯を挿入し、吸い上げた液状薬剤を、容器体から延出した部分より揮散するいわゆるリードディフューザータイプの揮散装置が知られている。
【０００４】
このリードディフューザータイプの揮散装置は、図８に示すように、液状薬剤８０１を収容した容器体８０２を備えてなり、該容器体８０２に設けられた口部８０３の開口部８０４には、複数の吸上芯８０５，・・・が挿入されている。
【０００５】
各吸上芯８０５，・・・は、その基端部が前記容器体８０２の底部に達するとともに、先端部が前記口部８０３より上方に延出するように構成されており、前記容器体８０２に収容された前記液状薬剤８０１を基端部から吸い上げて先端部より揮散できるように構成されている。
【発明の概要】
【発明が解決しようとする課題】
【０００６】
しかしながら、このような従来の揮散装置８１１にあっては、容器体８０２より延出した吸上芯８０５，・・・に手などを引っ掛け、当該容器体８０２を転倒させてしまうことがある。
【０００７】
このとき、前記吸上芯８０５，・・・が挿入される前記容器体８０２の口部８０３は、その開口面積が大きめに設定されており、当該容器体８０２が倒れた際に収容された液状薬剤８０１が大量にこぼれ出すという問題があった。
【０００８】
本発明は、このような従来の課題に鑑みてなされたものであり、吸上芯の挿入を可能としつつ、転倒時のこぼれを抑えることができる揮散装置を提供することを目的とするものである。
【課題を解決するための手段】
【０００９】
前記課題を解決するために本発明の請求項１の揮散装置にあっては、容器体の内部と外部を連通する連通部に吸上芯を挿入し、前記容器体内の液状薬剤を前記吸上芯で吸い上げて前記容器体より延出した前記吸上芯の部位から揮散する揮散装置において、前記連通部に当該連通部を閉鎖する閉鎖部材を設けるとともに、前記吸上芯の挿入を許容する為のスリットを前記閉鎖部材に複数設け、各スリットが前記閉鎖部材の中心部から放射状に延出するように配置した。
【００１０】
すなわち、容器体の内部と外部を連通する連通部には、当該連通部を閉鎖する閉鎖部材が設けられており、該閉鎖部材には、吸上芯の挿入を許容する為のスリットが設けられている。このため、前記連通部に挿入された吸上芯は、前記スリットにより形成された開口部分を挿通した状態で前記容器体内に挿入される。
【００１１】
このとき、前記スリットは、前記吸上芯の太さに応じた開口部を形成し、形成された開口部の外側部分が前記吸上芯の外周面に密着することとなる。このため、前記容器体に設けられた口部の開口部に吸上芯を挿入する場合と比較して、吸上芯の外周部に形成される隙間の開口面積を狭くすることができる。
また、複数設けられたスリットは、閉鎖部材の中心部から放射状に延出するように配置されており、このスリットにより形成される開口部に吸上芯を挿通した状態において、当該吸上芯は、前記各スリット間に形成された各小片に包囲された状態で前記中心部に位置決めされる。
このとき、前記吸上芯の外周面には、前記スリットの外側部分で構成された前記各小片が密着する。これにより、前記吸上芯の外周部に形成される隙間の開口面積がさらに狭められる。
【００１２】
また、請求項２の揮散装置においては、前記スリットのうち隣接したスリットを異なる長さに設定した。
【００１５】
すなわち、隣接したスリットは、異なる長さに設定されており、隣接する一方のスリットの基端と他方のスリットの基端とを結ぶ可撓線は、両スリット間に形成された小片の長さ方向に対して斜めに延在することとなる。
【００１６】
このため、前記可撓線を中心として撓む小片は、その長さ方向、すなわち前記吸上芯が案内される前記中心部方向に対して斜めに傾斜する。これにより、前記閉鎖部材に複数の吸上芯を挿通した場合には、前記各小片に密着する吸上芯は、当該小片の傾斜方向に沿って傾斜する。
【００１７】
さらに、請求項３の揮散装置では、前記スリットは、前記吸上芯を挿入する際に破断される昜破断線を破断することにより形成されたものである。
【００１８】
すなわち、前記閉鎖部材には、未使用状態において破断前の昜破断線が設けられており、この未使用状態では、前記閉鎖部材で前記連通部が閉鎖された状態が形成される。
【００１９】
そして、使用時には、前記吸上芯の挿入動作によって前記昜破断線を破断することで、前記閉鎖部材に前記スリットを形成することができる。
【００２０】
加えて、請求項４の揮散装置にあっては、前記容器体に設けられた円筒状の口部で前記連通部を構成し、天面に開口部が開設されたキャップを前記口部に装着するとともに、該口部の端面と前記キャップの前記天面との間に前記閉鎖部材を配置し、前記口部の前記端面と該端面に対向する前記キャップの前記天面とに挟持され両者間をシールするシール部を前記閉鎖部材の周縁部に設定した。
【００２１】
すなわち、前記容器体には、円筒状の口部が設けられており、該口部によって前記連通部が形成されている。この口部には、キャップが装着されており、該キャップの天面には、開口部が開設されている。
【００２２】
そして、前記口部の端面と前記キャップの前記天面との間には、前記閉鎖部材が配置されており、当該閉鎖部材は、前記口部の前記端面と該端面に対向する前記キャップの前記天面とに挟持された状態で保持される。
【００２３】
このとき、前記閉鎖部材の周縁部は、前記口部の前記端面と前記キャップの前記天面とに挟持されるとともに、両者間をシールするシール部が設定されている。このため、前記口部と前記キャップとで前記閉鎖部材を保持した状態で、両者間に生じ得る隙間が塞がれる。
【００２４】
また、請求項５の揮散装置においては、前記閉鎖部材を、前記容器体に設けられた開口部に内嵌される筒状の内嵌部と、該内嵌部の端部開口部を閉鎖した閉鎖部と、前記内嵌部の他端より外方へ延出したフランジ部とからなる閉キャップで構成し、前記閉鎖部に前記スリットを設けた。
【００２５】
すなわち、前記閉鎖部材は、筒状の内嵌部と、該内嵌部の端部開口部を閉鎖した閉鎖部と、前記内嵌部の他端より外方へ延出したフランジ部とからなる閉キャップで構成されており、前記閉鎖部に前記スリットが設けられている。
【００２６】
このため、前記閉キャップを構成する前記円筒部及び前記閉鎖部を、容器体に設けられた開口部に挿入して内嵌することで、当該閉キャップで構成された閉鎖部材は、前記容器体に取り付けられる。
【００２７】
このとき、前記スリットは、前記閉鎖部に設けられており、当該閉鎖部は、前記開口部より内側に配置される。このため、容器体転倒時に微量の液状薬剤が漏れた場合であっても、当該液状薬剤は、前記容器体の前記開口部より内側であって前記円筒部内に維持される。
【００２８】
さらに、請求項６の揮散装置では、前記吸上芯を複数備えた。
【００２９】
これにより、複数の吸上芯の上端部を放射状に広げた状態を形成することができる。
【発明の効果】
【００３０】
以上説明したように本発明の請求項１の揮散装置にあっては、連通部に挿入された吸上芯を閉鎖部材のスリットで形成された開口部に挿通して容器体内へ挿入した状態において、前記吸上芯の外周面に、前記スリットで形成された開口部の外側部分を密着させることができる。これにより、前記容器体に設けられた口部の開口部へ吸上芯を挿入する従来と比較して、吸上芯の外周部に形成される隙間の開口面積を狭くすることができる。
【００３１】
このため、容器体より延出した吸上芯に手などを引っ掛けて転倒させてしまった場合であっても、当該容器体をすぐに起立させることにより、収容された液状薬剤の漏れを防止することができる。
【００３２】
したがって、吸上芯の挿入を可能としつつ、転倒時の液状薬剤のこぼれを防止することができる。
【００３３】
また、複数設けられたスリットが中心部から放射状に延出するように配置することで、閉鎖部材に挿入された吸上芯を、前記各スリット間に形成された各小片で包囲した状態で当該閉鎖部材の中心部に位置決めすることができる。
【００３４】
このとき、前記吸上芯の外周面には、スリットの外側部分で構成した前記各片が密着する。このため、前記吸上芯の外周部に形成される隙間の開口面積をさらに狭めることができ、前記液状薬剤の漏れをさらに抑えることができる。
【００３５】
また、請求項２の揮散装置においては、隣接したスリットを異なる長さに設定し、両スリットの基端を結ぶ可撓線を、スリット間の小片の長さ方向に対して斜めに延在させることで、当該小片を先端方向に対して斜めに傾斜させることができる。
【００３６】
このため、前記閉鎖部材に複数の吸上芯を挿通した場合には、前記各小片に密着する吸上芯を、当該小片の傾きに沿って傾斜させることができる。
【００３７】
これにより、前記容器体より延出した各吸上芯の部位を、その先端へ向かうに従って互いに離れ方向に広げることができ、先端部が互いに密着する場合と比較して、前記液状薬剤の揮散効率を高めることができる。
【００３８】
さらに、請求項３の揮散装置では、未使用状態における閉鎖部材には破断前の昜破断線が設けられており、当該未使用状態では、前記閉鎖部材で容器体の連通部を閉鎖した状態に維持することができる。
【００３９】
このため、搬送時や陳列時での液状薬剤の不用意な漏れを、別部材を用いること無く、防止することができる。
【００４０】
そして、使用時には、前記吸上芯の挿入動作によって前記昜破断線を破断することで、前述したスリットを形成することができる。
【００４１】
加えて、請求項４の揮散装置にあっては、容器体に設けられた円筒状の口部によって連通部が形成されており、当該口部には、天面に開口部が形成されたキャップが装着されている。この口部の端面と前記キャップの前記天面との間には、前記閉鎖部材が配設されており、当該閉鎖部材を、前記口部の前記端面と該端面に対向する前記キャップの前記天面とで挟持した状態で保持することができる。
【００４２】
このとき、前記閉鎖部材の周縁部には、シール部が設定されており、前記口部と前記キャップとで前記閉鎖部材を挟持して保持した状態において、両者間に生じ得る隙間を前記シール部によって塞ぐことができる。
【００４３】
これにより、前記口部の端面と前記キャップの天面間に生じ得る隙間からの液状薬剤の漏れを確実に防止することができる。
【００４４】
また、請求項５の揮散装置においては、閉キャップを構成する円筒部及び閉鎖部を、容器体に設けられた開口部に挿入して内嵌することで、当該閉キャップで構成された閉鎖部材を容器体に取り付けることができる。
【００４５】
このとき、前記スリットは、前記閉鎖部に設けられており、当該閉鎖部は、前記開口部より内側に配置されている。このため、容器体転倒時に微量の液状薬剤が前記スリットから漏れた場合であっても、当該液状薬剤を、前記容器体の前記開口部より内側であって、前記円筒部内に維持することができる。
【００４６】
これにより、液状薬剤の外部への漏れを確実に防止することができ、液状薬剤のこぼれに起因した不具合を未然に防止することができる。
【００４７】
さらに、請求項６の揮散装置では、複数の吸上芯を放射状に広げた状態を形成することができる。
【００４８】
これにより、液状薬剤の揮散量を増大することができる。
【図面の簡単な説明】
【００４９】
【図１】本発明の第一の実施の形態を示す説明図である。
【図２】同実施の形態の閉鎖部材を示す拡大図で、（ａ）は閉鎖部材の平面図であり、（ｂ）が同図（ａ）のＡ−Ａ線に沿った断面図である。
【図３】同実施の形態の閉鎖部材のバリエーションを示す図で、（ａ）は第一のバリエーションを示す平面図であり、（ｂ）は第二のバリエーションを示す平面図である。
【図４】本発明の第二の実施の形態を示す説明図である。
【図５】同実施の形態の閉キャップを示す拡大図で、（ａ）は閉キャップの平面図であり、（ｂ）が同図（ａ）のＢ−Ｂ線に沿った断面図である。
【図６】同実施の形態の閉キャップのバリエーションを示す図で、（ａ）は断面図であり、（ｂ）は使用状態を示す説明図である。
【図７】（ａ）は、本発明の第三の実施の形態を示す説明図であり、（ｂ）は、本発明の第四の実施の形態を示す説明図である。
【図８】従来の揮散装置を示す説明図である。
【発明を実施するための形態】
【００５０】
（第一の実施の形態）
【００５１】
以下、本発明の第一の実施の形態を図に従って説明する。
【００５２】
図１は、本実施の形態にかかる揮散装置１を示す図であり、該揮散装置１は、芳香液や消臭液等の液状薬剤２を揮散するものである。
【００５３】
この揮散装置１は、前記液状薬剤２を収容した容器体１１と、該容器体１１に収容された前記液状薬剤２を吸い上げて揮散する複数の吸上芯１２，・・・とを備えている。本実施の形態では、複数の吸上芯１２，・・・を用いる場合について説明するが、これに限定されるものではなく、単数の吸上芯１２を用いても良い。
【００５４】
前記容器体１１は、矩形状のガラス瓶で構成され、正方形状の底面２１を備えている。該底面２１の各辺からは矩形状の壁面２２，・・・が上方へ向けて延出しており、各壁面２２，・・・によって当該容器体１１の周壁２３が形成されている。該周壁２３の上縁は、矩形状の上面２４によって連設されており、該上面２４の中央部からは、円筒状の口部２５が上方へ向けて延出している。
【００５５】
該口部２５は、当該容器体１１内に連通しており、容器体１１の内部Ｉと外部Ｏとが前記口部２５によって連通するように構成されている。この口部２５の外周面には、雄ねじ部３１が一体形成されており、プラスチック製のキャップ３２を取り付けられるように構成されている。
【００５６】
該キャップ３２は、円筒状の周壁面４１と、該周壁面４１の上端に設けられた天面４２とによって構成されており、前記周壁面４１の内側面には、前記口部２５の前記雄ねじ部３１に螺合する雌ねじ部４３が一体形成され、当該キャップ３２を前記口部２５に螺着できるように構成されている。
【００５７】
前記天面４２の中央部には、円形の開口部５１が開設されており、該開口部５１は、前記口部２５より小径に形成されている。これにより、前記天面４２には、当該キャップ３２を前記口部２５に螺着した状態で、該口部２５の口部端面５２と対向する対向部５３が前記開口部５１の外周部に形成されている。
【００５８】
このキャップ３２の外周部には、木製の装飾カバー６１が取り付けられている。該装飾カバー６１は、前記キャップ３２の前記周壁面４１に外嵌した状態で固定された円筒状の側面６２と、該側面６２の上端に連設された上端面６３とによって構成されており、前記側面６２は、その外形寸法が前記上端面６３側へ向かうに従って大きくなるように設定されている。該上端面６３の中央部には、テーパ穴６４が開設されており、該テーパ穴６４は、下方へ向かうに従って内径寸法が小さくなるように構成されている。
【００５９】
該テーパ穴６４の内側には、プラスチック製の保護カバー７１が取り付けられており、該保護カバー７１は、前記テーパ穴６４の内側面に沿って延在する筒状のテーパ部７２と、該テーパ部７２の下端より側方に延出した鍔部７３とによって構成されている。これにより、前記テーパ穴６４の内側に前記保護カバー７１を取り付けた状態において、前記テーパ部７２が前記テーパ穴６４の内側面に沿って延在するとともに、前記鍔部７３が前記テーパ穴６４下端の開口縁部と係合し当該保護カバー７１の離脱を防止できるように構成されている。
【００６０】
前記装飾カバー６１と前記キャップ３２との間には隙間８１が形成されているとともに、前記装飾カバー６１に設けられた前記テーパ穴６４と前記キャップ３２に設けられた開口部５１と前記容器体１１の前記口部２５とは、直線上に配置されるように構成されている。
【００６１】
これにより、前記容器体１１の前記口部２５と、前記キャップ３２の前記開口部５１と、前記装飾カバー６１及び前記キャップ３２間に形成された前記隙間８１と、前記装飾カバー６１の前記テーパ穴６４とによって、前記容器体１１の内部Ｉを外部Ｏに連通する連通部９１が構成されており、この連通部９１を介して、複数の前記吸上芯１２，・・・を前記容器体１１内に挿入できるように構成されている。
【００６２】
前記各吸上芯１２，・・・は、葦などの円柱状部材によって構成されており、基端部を前記液状薬剤２に浸した際に当該液状薬剤２を先端まで吸い上げられるように構成されている。この吸上芯１２，・・・の長さ寸法は、前記容器体１１の前記底面２１から前記装飾カバー６１の前記上端面６３までの高さ寸法より十分長い寸法に設定されており、当該吸上芯１２を前記容器体１１に挿入し、その基端を前記底面２１に接触させた状態において、その先端部が前記装飾カバー６１の上端面６３より上方へ延出するように構成されている。
【００６３】
これにより、所定数の吸上芯１２，・・・を、前記挿通部９１を介して前記容器体１１内に挿入するとともに、その基端部を前記容器体１１内の前記液状薬剤２に浸けることによって、該液状薬剤２を前記各吸上芯１２，・・・で吸い上げて、前記容器体１１より延出した前記各吸上芯１２，・・・の先端部から揮散できるように構成されている。
【００６４】
このとき、前記吸上芯１２，・・・が木製の前記装飾カバー６１の前記テーパ穴６４の内縁に接することがあるが、該テーパ穴６４の内側には、プラスチック製の前記保護カバー７１が取り付けられており、前記テーパ穴６４の内側面は、前記保護カバー７１の前記テーパ部７２で覆われている。このため、前記吸上芯１２，・・・と前記装飾カバー６１との直接接触を防止することができ、前記吸上芯１２，・・・で吸い上げられた前記液状薬剤２が木製の前記装飾カバー６１に染みこむ現象を防止することができる。
【００６５】
そして、前記容器体１１の前記口部２５と該口部２５に取り付けられた前記キャップ３２との間には、閉鎖部材１０１が配設されており、前記連通部９１の一部を構成する前記口部２５の端部開口部は、前記閉鎖部材１０１によって閉鎖されるように構成されている。
【００６６】
前記閉鎖部材１０１は、図２にも示すように、ポリエチレンが発泡されてなるポリエチレンフォームまたはエラストマーによって円板状に形成されており、所定の肉厚を有している。
【００６７】
この閉鎖部材１０１の中央部には、前記吸上芯１２，・・・を挿通する為の挿通部１１１が設定されており、該挿通部１１１は、当該閉鎖部材１０１の中心点１１２から放射状に延出した複数のスリットによって構成されている。このスリットは、前記吸上芯１２，・・・の挿入を許容する為に設けられており、長さ寸法の長い長スリット１１３と、該長スリット１１３より長さ寸法の短い短スリット１１４とによって構成されている。
【００６８】
隣接したスリット１１３，１１４は、周方向に２２．５度おきに配置されており、前記挿通部１１１は、十六本の各スリット１１３，・・・，１１４，・・・とによって構成されている。前記長スリット１１３と前記短スリット１１４とは、前記中心点１１２を中心とした周方向に交互に配置されており、隣接したスリット１１３，１１４が異なる長さ寸法となるように設定されている。
【００６９】
このとき、隣接した長スリット１１３の基端と短スリット１１４の基端とを結ぶ可撓線１２１を想定した場合（図２中破線で図示）、当該可撓線１２１は、両スリット１１３，１１４間に形成された三角形状の小片１２２の長さ方向に対して斜めに延在するように構成されている。
【００７０】
これにより、前記吸上芯１２挿入時に前記可撓線１２１を中心として撓む前記小片１２２は、その長さ方向、すなわち前記吸上芯１２が案内される中心部方向に対して斜めに傾斜し、前記閉鎖部材１０１に複数の吸上芯１２，・・・を挿通した状態において、前記各小片１２２，・・・に密着する吸上芯１２，・・・は、対応した小片１２２の傾斜方向に沿って傾斜するように構成されている。
【００７１】
前記閉鎖部材１０１の周縁部、すなわち前記各スリット１１３，・・・，１１４，・・・で構成された挿通部１１１の外周部には、シール部１３１が全周に渡って形成されており、前記各スリット１１３，・・・，１１４，・・・は、前記シール部１３１に達しないように構成されている。
【００７２】
このシール部１３１は、当該閉鎖部材１０１を前記容器体１１の前記口部２５の口部端面５２と前記キャップ３２の前記天面４２との間に配置した状態で、前記口部端面５２と該口部端面５２に対向した前記キャップ３２の前記天面４２とに挟持されるように構成されており、前記キャップ３２を前記口部２５に螺入することで、前記口部端面５２と前記天面４２に設定された前記対向部５３とに密着して両者５２，５３間をシールできるように構成されている。
【００７３】
この閉鎖部材１０１の上面側には、図２の（ｂ）に示すように、ポリエチレンフィルムがラミネートされて表皮層１４１が形成されており、当該閉鎖部材１０１は、上面側を構成する薄肉の表皮層１４１と、該表皮層１４１の下側に形成された厚肉の発泡層１４２とによって構成されている。
【００７４】
ここで、本実施の形態では、前記発泡層１４２上にポリエチレンフィルムをラミネートして表皮層１４１を形成した場合に付いて説明したが、これに限定されるものではなく、例えばフィルムをラミネートしたり、アルミフィルムをラミネートしても良い。
【００７５】
前記各スリット１１３，・・・，１１４，・・・は、前記発泡層１４２に形成されており、各スリット１１３，・・・、１１４，・・・両脇の発泡層１４２で構成された側壁が密着することで、各スリット１１３，・・・，１１４，・・・は閉塞されている。また、前記表皮層１４１においては、当該表皮層１４１形成時において、前記各スリット１１３，・・・，１１４，・・・が閉鎖されており、前記各スリット１１３，・・・，１１４，・・・に沿った部位には、溝が没入形成されている。
【００７６】
これらの溝によって前記表皮層１４１には、薄肉部が前記各スリット１１３，・・・，１１４，・・・上の部位に形成されており、前記吸上芯１２を当該閉鎖部材１０１に挿入して貫通する際に容易に破断する昜破断線１５１が前記各溝によって形成されている。これにより、前記各昜破断線１５１，・・・を破断することで、前記各スリット１１３，・・・，１１４，・・・を前記表皮層１４１にも形成できるように構成されている。
【００７７】
以上の構成にかかる本実施の形態において、容器体１１の内部Ｉと外部Ｏを連通する連通部９１には、当該連通部９１を閉鎖する閉鎖部材１０１が設けられており、該閉鎖部材１０１には、吸上芯１２，・・・の挿入を許容する為のスリット１１３，・・・，１１４，・・・が設けられている。このため、前記連通部９１に挿入された吸上芯１２，・・・は、前記スリット１１３，・・・，１１４，・・・で形成された開口部分を挿通した状態で前記容器体１１内に挿入される。
【００７８】
このとき、前記スリット１１３，・・・，１１４，・・・は、挿通される吸上芯１２の太さに応じた開口部を形成し、形成された開口部の外側部分が前記吸上芯１２の外周面に密着することとなる。
【００７９】
このように、前記連通部９１に挿入された前記吸上芯１２，・・・を前記閉鎖部材１０１の各スリット１１３，・・・，１１４，・・・で形成された開口部に挿通して容器体１１内へ挿入した状態において、前記吸上芯１２，・・・の外周面に、前記スリット１１３，・・・，１１４，・・・で形成された開口部の外側部分を密着させることができる。
【００８０】
これにより、前記容器体１１に設けられた口部２５の開口部へ吸上芯１２を挿入する従来と比較して、吸上芯１２の外周部に形成される隙間の開口面積を狭くすることができる。
【００８１】
このため、前記容器体１１より延出した前記吸上芯１２，・・・に手などを引っ掛けて転倒させてしまった場合であっても、当該容器体１１をすぐに起立させることによって、収容された液状薬剤２の漏れを防止することができる。
【００８２】
したがって、吸上芯１２，・・・の挿入を可能としつつ、転倒時の液状薬剤２のこぼれを防止することができる。
【００８３】
このとき、前記閉鎖部材１０１の上部は、前記装飾カバー６１で覆われており、該装飾カバー６１の内側には、前記隙間８１が形成されている。このため、容器体１１転倒時に微量の液状薬剤２が前記スリット１１３，・・・１１４，・・・から漏れた場合であっても、当該液状薬剤２を、前記装飾カバー６１の内側の前記隙間８１に維持することができるとともに、木製装飾カバー６１の内側面に吸収させることができる。
【００８４】
これにより、液状薬剤２の外部への漏れを確実に防止することができる。
【００８５】
また、複数設けられた前記各スリット１１３，・・・，１１４，・・・は、前記閉鎖部材１０１の中心点１１２から放射状に延出するように配置されており、前記各スリット１１３，・・・，１１４，・・・により形成される開口部に前記吸上芯１２，・・・を挿通した状態において、当該吸上芯１２，・・・を、前記各スリット１１３，・・・，１１４，・・・間に形成された各小片１２２，・・・で包囲した状態で、前記閉鎖部材１０１の中心部に位置決めすることができる。
【００８６】
このとき、前記吸上芯１２，・・・の外周面には、前記各スリット１１３，・・・，１１４，・・・の外側部分で構成された前記各小片１２２，・・・の先端部が密着する。これにより、前記吸上芯１２，・・・の外周部に形成される隙間の開口面積をさらに狭くすることができ、前記液状薬剤２の漏れをさらに抑えることができる。
【００８７】
そして、隣接したスリット１１３，・・・，１１４，・・・は、異なる長さに設定されており、隣接する一方のスリット１１３の基端と他方のスリット１１４の基端とを結ぶ可撓線１２１は、両スリット１１３，１１４間に形成された小片１２２の長さ方向に対して斜めに延在する。これにより、この可撓線１２１を中心として撓む前記小片１２２を、その長さ方向、すなわち前記吸上芯１２，・・・が案内された中心方向に対して斜めに傾斜させることができる。
【００８８】
これにより、前記閉鎖部材１０１に複数の吸上芯１２，・・・を挿通した状態において、前記各小片１２２，・・・に密着する吸上芯１２，・・・を、当該小片１２２の傾斜方向に沿って傾斜させることができる。
【００８９】
よって、前記容器体１１より延出した各吸上芯１２，・・・の部位を、その先端へ向かうに従って互いに離れ方向に広げることができ、先端部が互いに密着する場合と比較して、前記液状薬剤２の揮散効率を高めることができる。
【００９０】
そして、前記閉鎖部材１０１の表皮層１４１には、未使用状態において破断前の昜破断線１５１，・・・が設けられており、この未使用状態では、前記閉鎖部材１０１で前記連通部９１を閉鎖された状態に維持することができる。
【００９１】
このため、搬送時や陳列時での液状薬剤２の不用意な漏れを、別部材を用いること無く、防止することができる。
【００９２】
そして、使用時には、前記吸上芯１２，・・・の挿入動作によって、前記昜破断線１５１，・・・を破断することで、前述したスリット１１３，・・・，１１４，・・・を形成することができる。
【００９３】
また、前記容器体１１には、円筒状の口部２５が設けられており、該口部２５によって前記連通部９１の一部が形成されている。この口部２５には、キャップ３２が装着されており、該キャップ３２の天面４２には、開口部５１が開設されている。
【００９４】
そして、前記口部２５の口部端面５２と前記キャップ３２の前記天面４２との間には、前記閉鎖部材１０１が配置されており、当該閉鎖部材１０１を、前記口部端面５２と該口部端面５２に対向する前記天面４２の対向部５３とで挟持した状態で保持することができる。
【００９５】
このとき、前記閉鎖部材１０１の周縁部には、シール部１３１が設定されており、前記口部２５と前記キャップ３２とで前記閉鎖部材１０１を挟持して保持した状態において、前記口部端面５２と前記天面４２の対向部５３との間に生じ得る隙間を前記シール部１３１によって塞ぐことができる。
【００９６】
これにより、前記口部端面５２と前記天面４２の前記対向部５３間に生じ得る隙間からの前記液状薬剤２の漏れを確実に防止することができる。
【００９７】
なお、本実施の形態では、図２に示した閉鎖部材１０１を用いた場合に付いて説明したが、これに限定されるものでは無い。
【００９８】
すなわち、図３は、前記閉鎖部材１０１のバリエーションを示す図であり、図３の（ａ）には、前記挿通部１１１を構成する各スリット１１３，・・・，１１４，・・・の中央部に挿通穴３０１が開設された閉鎖部材が１０１ａが示されている。
【００９９】
この場合、当該閉鎖部材１０１ａへの複数の吸上芯１２，・・・の挿入作業を容易に行うことができる。
【０１００】
また、図３の（ｂ）には、前記挿通穴３０１の開口縁部が、前記吸上芯１２，・・・の外形形状と合致する複数の円弧部３１１，・・・で形成された閉鎖部材が１０１ｂが示されている。
【０１０１】
この場合、前記挿通穴３０１に挿入された前記吸上芯１２，・・・の外周面が前記円弧部３１１，・・・に面接することで、前記液状薬剤２の漏れをより確実に防止することができる。
【０１０２】
また、本実施の形態では、前記発泡層１４２上にポリエチレンフィルムをラミネートして表皮層１４１を形成した場合に付いて説明したが、これに限定されるものではなく、前記発泡層１４２の上面に熱を加えて薄肉の表皮層１４１を形成したり、前記発布層１４２の両面に表皮層を形成したり、あるいは、表皮層１４１を備えないものであっても良い。
【０１０３】
（第二の実施の形態）
【０１０４】
図４及び図５は、本発明の第二の実施の形態に係る揮散装置２０１を示す図であり、第一の実施の形態と同一又は同等部分に付いては同符号を付して説明を割愛するとともに、異なる部分に付いてのみ説明する。
【０１０５】
すなわち、本実施の形態にかかる揮散装置２０１では、前記連通部９１に設けられた閉鎖部材が第一の実施の形態と異なる形状に形成されている。
【０１０６】
この閉鎖部材は、前記容器体１１の口部２５に装着された閉キャップ２１１によって構成されており、前記連通部９１の一部を構成する前記口部２５は、前記閉キャップ２１１によって閉鎖されている。
【０１０７】
前記閉キャップ２１１は、プラスチックで形成されており、当該閉キャップ２１１は、図５にも示すように、円筒状の内嵌部２２１と、該内嵌部２２１の下方開口部を閉鎖した閉鎖部２２２と、前記内嵌部２２１の上端より外方へ延出したフランジ部２２３とによって構成されている。前記内嵌部２２１は、前記口部２５の端部開口部から当該口部２５内に挿入されるように構成されており、当該口部２５内に内嵌する外形寸法に設定されている。
【０１０８】
前記閉鎖部２２２の中央部には、図５の（ａ）に示したように、前記吸上芯１２，・・・を挿通する為の挿通部２３１が設定されており、該挿通部２３１は、当該閉鎖部２２２の中心点２３２から放射状に延出した複数のスリット２３３，・・・によって構成されている。
【０１０９】
なお、本実施の形態では、前記各スリット２３３，・・・が同寸法に設定されている場合を一例として示すが、第一の実施の形態に示したように、隣接したスリット２３３，２３３が異なる寸法となるように設定することで、第一の実施の形態と同様の効果を得ることができる。
【０１１０】
前記各スリット２３３，・・・は、前記吸上芯１２，・・・の挿入を許容する為に設けられており、隣接したスリット２３３，２３３間には、三角形状の小片２４０が形成されるように構成されている。
【０１１１】
この閉キャップ２１１は、コンプレッション成型（プレス成型）、トランスファー成型（注入式成型）または射出成型等で形成されており、形成時には、図５の（ｂ）に示すように、前記スリット２３３，・・・を形成する為の溝が放射状に形成されている。
【０１１２】
これにより、前記閉鎖部２２２の上面には、前記吸上芯１２，・・・を当該閉鎖部２２２に挿入して貫通する際に容易に破断する昜破断線２４１，・・・が前記各溝によって形成されており、使用時に前記各昜破断線２４１，・・・を破断することで、前記各スリット２３３，・・・を当該閉鎖部２２２に形成できるように構成されている。
【０１１３】
以上の構成にかかる本実施の形態においても、第一の実施の形態と同様の作用効果を得ることができる。
【０１１４】
そして、本実施の形態では、前記閉鎖部材が、筒状の内嵌部２２１と、該内嵌部２２１の下方開口部を閉鎖した閉鎖部２２２と、前記内嵌部２２１の上端より外方へ延出したフランジ部２２３とからなる閉キャップ２１１で構成されており、前記閉鎖部２２２に前記スリット２３３，・・・が設けられている。
【０１１５】
このため、前記閉キャップ２１１を構成する前記内嵌部２２１及び前記閉鎖部２２２を、前記容器体１１の口部２５の端部開口部に挿入して内嵌することで、当該閉キャップ２１１で構成された閉鎖部材を前記容器体１１に取り付けることができる。
【０１１６】
このとき、前記スリット２３３，・・・は、前記閉鎖部２２２に設けられており、当該閉鎖部２２２は、前記口部２５の端部開口部より内側に配置される。このため、容器体１１転倒時に微量の液状薬剤２が前記スリット２３３，・・・から漏れた場合であっても、当該液状薬剤２を、前記口部２５の端部開口部より内側であって、前記内嵌部２２１内に維持することができる。
【０１１７】
これにより、液状薬剤２の外部への漏れを確実に防止することができ、液状薬剤２のこぼれに起因した不具合を未然に防止することができる。
【０１１８】
このとき、前記閉キャップ２１１の内嵌部２２１の内周面に、図６の（ａ）に示すように、内周面に沿って延在する一対の凸条４０１，４０１を離間して設けておけば、図６の（ｂ）に示すように、容器体１１転倒時に微量の液状薬剤２が前記スリット２３３，・・・から漏れた場合であっても、当該液状薬剤２を、前記口部２５の端部開口部より内側であって、前記内嵌部２２１内に維持し、かつ前記両凸条４０１，４０１を堰として利用することができる。
【０１１９】
これにより、液状薬剤２を維持する効果が高まるため、液状薬剤２の外部への漏れをさらに確実に防止することができ、液状薬剤２のこぼれに起因した不具合を確実に防止することができる。
【０１２０】
なお、各実施の形態では、前記スリット１１３，１１４，２３３を複数設け、各スリット１１３，１１４，２３３が閉鎖部材１０１又は閉鎖部２２２の中心部から放射状に延出するように配置するとともに、第一の実施の形態では、隣接したスリット１１３，１１４を異なる長さに設定した場合を例に挙げて説明したが、本願発明はこれらの構成に限定されるものではない。
【０１２１】
また、前記各スリット１１３，１１４，２３３は、昜破断線１５１，２４１が破断されることで形成される場合を例に挙げて説明したが、本願発明は、この構造に限定されるものではない。
【０１２２】
さらに、前記閉鎖部材１０１又は前記閉キャップ２１１の閉鎖部２２２は、前記容器体１１の内部Ｉと外部Ｏを連通する連通部９１のいずれかに設ければ、前述した効果を得ることができる。
【０１２３】
（第三の実施の形態）
【０１２４】
図７の（ａ）は、本発明の第三の実施の形態に係る揮散装置５０１を示す図であり、第一の実施の形態と同一又は同等部分に付いては同符号を付して説明を割愛するとともに、異なる部分に付いてのみ説明する。
【０１２５】
すなわち、前記液状薬剤２を吸い上げる吸上芯が単一の太い吸上芯５１１によって構成されており、当該吸上芯５１１の上端部には、大径の揮散部５１２が一体形成されている。
【０１２６】
前記吸上芯５１１及び前記揮散部５１２は、天然木で構成されており、前記液状薬剤２を前記揮散部５１２まで吸い上げて揮散できるように構成されている。
【０１２７】
このような構成であっても、前述した効果を得ることができる。
【０１２８】
（第四の実施の形態）
【０１２９】
図７の（ｂ）は、本発明の第四の実施の形態に係る揮散装置６０１を示す図であり、第三の実施の形態と同一又は同等部分に付いては同符号を付して説明を割愛するとともに、異なる部分に付いてのみ説明する。
【０１３０】
すなわち、前記吸上芯５１１と前記揮散部５１２とが別体で構成されており、前記吸上芯５１１の上端部に前記揮散部５１２が外嵌した状態で固定されている。
【０１３１】
このような構成であっても、前述した効果を得ることができる。
【符号の説明】
【０１３２】
１    揮散装置
２    液状薬剤
１１    容器体
１２    吸上芯
２５    口部
３２    キャップ
４２    天面
５１    開口部
５２    口部端面
９１    連通部
１０１    閉鎖部材
１１２    中心点
１１３    長スリット
１１４    短スリット
１３１    シール部
１５１    昜破断部
２０１    揮散装置
２１１    閉キャップ
２２１    内嵌部
２２２    閉鎖部
２２３    フランジ部
２４１    昜破断部
５０１    揮散装置
６０１    揮散装置
Ｉ    内部
Ｏ    外部
【図１】
0005627955.tif 000002
【図２】
0005627955.tif 000003
【図３】
0005627955.tif 000004
【図４】
0005627955.tif 000005
【図５】
0005627955.tif 000006
【図６】
0005627955.tif 000007
【図７】
0005627955.tif 000008
【図８】
0005627955.tif 000009